(57)【要約】      （修正有）【課題】支点を構成する部品を単純な構造にして、分解、洗浄が誰でも出来、また回転性もより小さな力で得られるような回転歯ブラシを提供する。【解決手段】歯ブラシの回転を生み易くするために、歯ブラシヘッドに、適度の角度を設け、モーメントが生じやすいようにふくらみを設け、その下に、半円球の突起や、半円柱の枕木じょうの突起を設ける。ふくらみ部から柄の先端までを細くし、その柄の上を蔽うカバーをつける。柄の先端にクラブ状のストッパーをつけて、簡単に取り外せるＯリングで固定する。【選択図】なし【実用新案登録請求の範囲】
【請求項１】
梃子の原理を用いて、歯ブラシの毛先部分が歯や歯肉と接触する部位を作用点として、歯ブラシの（歯ブラシヘッド）に適度な角度を設け、かつ、モーメントを起こすこぶのようなふくらみをつくり、摩擦を最小限にするため、そのふくらみ部分の下にＲのついた凸の半円球あるいは半円柱の溝を設け（ふくらみの首）、その延長上に細い柄をもうけ、その柄の先端部でえらの張ったクラブ状のストッパー（クラブ型）の形状にする。歯ブラシの細い柄を蔽うように、円筒形あるいは多角形の筒じょうのカバーをかぶせ、その上下の先端部を摩擦の少ないＲの付いた形状にするかあるいは半円柱の溝を設ける。この筒と手の接触部分が力点となる。この筒の一番下の部分を脱落しないようにＯリングで止める。この部分を支点として、毛先が接触する方向に、歯ブラシヘッドが向きを変える工夫をした回転歯ブラシ。
【請求項２】
（請求項  １）のふくらみの首と筒の最上部の間に、遊びの僅かな隙間を設けることによって、回転を自在にさせ、かつ、歯ブラシヘッドの僅かな撓みを生じ、歯肉や舌苔を清掃及びブラッシングすると、毛先は表面の凹凸部分の全てを掻き出しながらポケットには直角に入り、ポケットの底に当たると跳ね返って歯肉の形状をなぞっていく。歯肉や舌の凹凸の凹面の中まで通って、ジャンプすることなく、斜めにひきつられながら、ゆっくりと、優しく、確実に清掃し、歯肉や舌を傷つけない工夫を加味した舌磨き歯ブラシ、歯肉歯ブラシ。
【請求項３】
この発明の原理を応用した食器、便器などの洗浄ブラシ。
【請求項４】
（請求項  １）のＯリングで止める代わりに、ストッパーの上端にＲなどをつけ、摩擦を少ないようにし、この部品を柄の先端に、ねじや、テーパーをつけて押し込んだり、溶着して止めるようにした歯ブラシ、ブラシ
【考案の詳細な説明】
【技術分野】
【０００１】ブラシ製品（歯ブラシ、洗浄ブラシ）
【背景技術】
【０００２】現在市販されている歯ブラシは歯や歯肉に直角に当たることはなく、はみがきの仕方の指導が欠かせない。そのうえ、形状で、あらゆる面に当たるように工夫をし、歯肉のポケット（歯と歯肉の間の隙間）を傷めない細い毛先の歯ブラシなど各種が作られ販売されている。なぜこのような形状や細さが求められてきたのか。要するに理想のあらゆる面に直角に当てることは不可能と考えられて来たからである。しかし、歯磨きの理想は歯ブラシが歯や歯肉に直角に当たり、しかも歯肉のポケットの深さまで入ってそれ以上入らない歯ブラシの発明が望まれている。
本人以前の出願（平成４年５月２２日）で同様の目的を達成するために、歯ブラシの柄の支点を支えるために、別のホールダ部品で歯ブラシの柄を支えるようにしたが、部品点数の増加を招き、コストの上昇と、柄の間から、歯ブラシの際に汚れがはいり、洗浄を余儀なくされた。しかし、構造が入り組んでいて、到底きれいに洗浄することが出来なかった。
【考案が解決しようとする課題】
【０００３】支点を構成する部品を単純な構造にして、分解、洗浄を誰でも出来るような簡単な構造にすることを目指した。これによって嫌な、ホールダの分解やホールダの隙間の悪臭から開放されることを目指した。また回転性もより小さな力で得られるような工夫を施す。
【課題を解決するための手段】
【０００４】歯ブラシヘッドのふくらみの首に半円球の突起を設けるか、半円柱状の枕木のような突起を数箇所設け、摩擦を最小に、かつ  少しの遊びが生まれように、全面にこの突起を設けないようにする。
【０００５】力点部を構成する歯ブラシの柄の部分に、筒じょうのカバーを設け、その上下部分は、接触面積を少なくして、抵抗を少なくするためにＲをつける。
【０００６】歯ブラシの柄のさきにえらの張ったクラブ状のストッパーを設け、Ｏリングの取り外しを容易にする。
【０００７】この歯ブラシで歯肉や舌部の舌苔のブラシングする場合には歯肉や舌は歯よりは表面疎度があらく、摩擦が大きいと毛先はその粗い部位の全て通過しようとして、ブラシの動きに引きずられるように動く。その結果、歯ブラシが直角から引きずられるように角度を維持しなら斜めに凹凸面に沿いながら、凹面の中まで入って行こうとして、結果として、歯肉や舌を傷めない優しい掻き出しとなり、しかも凹凸の奥までしっかりと掻き出す効果を持つ。
【０００８】ホールダなどの別部品がなくなり、ホールダの間から出る悪臭からの開放と、安価な直角に当たろうとする歯ブラシによるブラッシングが可能となった。
【考案を実施するための最良の形態】
【０００９】次のような実施例のような基本構造を持たせる。
【実施例】
【００１０】〔図１〕は回転歯ブラシの基本形【００１１】〔図４〕は洗浄用ブラシの実施例
【図面の簡単な説明】
【００１２】
【図１】回転自在歯ブラシの実施例の正面図
【図２】回転自在歯ブラシの実施例の構造図
【図３】梃子の原理を回転自在歯ブラシに利用した発明の骨子を示す図  歯ブラシの毛先が歯の表面に触れた時、作用点として機能し、力点の柄のカバーと柄の間には上下の僅かな接触面積しかなく、作用が直接、支点に到達し、支点部分が軽やかに、作用点の示す方向に回転してしまう。
【図４】洗浄用ブラシの実施例の正面図
【図５】Ｏリングで止める代わりに、ストッパーの上端にＲ加工ををつけた部品を柄の先にねじ込んだ実施例の正面図
【符号の説明】
【００１３】  １    歯ブラシヘッド部
２    歯ブラシの柄
３    毛先
４    モーメントを生み出すふくらみ（こぶ）
５    ふくらみの首
６    歯ブラシヘッドと  歯ブラシの柄のなす角度
７    歯
８    支点
９    力点
１０    作用点
１１    ふくらみの首の半円球の突起
１２    ふくらみの首の半円柱状の枕木
１３    柄のさきのえらの張ったクラブ状のストッパー
１４    Ｏリング
１５    ねじ加工したストッパー
【図１】
0003105822.tif 000002
【図２】
0003105822.tif 000003
【図３】
0003105822.tif 000004
【図４】
0003105822.tif 000005
【図５】
0003105822.tif 000006
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
歯ブラシにおいて、
（１）梃子の原理を用いて、歯ブラシの毛先部分が歯や歯肉と接触する部位を作用点と        して、歯ブラシの毛先へ繋がる軸部と柄の接合部により大きな力がかかるように        毛先の柄（歯ブラシヘッド）に角度を設け、かつ、モーメントを起こすこぶのよ        うな膨れた部分をつくる。
（２）摩擦を最小限にするため、（１）膨れた部分の下からなだらかな凹面状のくびれ        を柄の中心に向ってつけて、この部分を親指と人差し指ではさみ、この部分が力        点となる。
（３）歯ブラシの柄の先端と掌との接触部分あるいは親指と人差し指の間の水かきの甲        の部分が支点となって、毛先の動きに対応して、自在に動くように球面形をもた        せて、毛先が歯や歯肉に常に直角に当たるようにする。
以上からなる回転自在歯ブラシ。
【請求項２】
請求項１の記載の回転自在歯ブラシをもちいて、肉や舌苔を清掃及びブラッシングすると、毛先は表面の凹凸部分の全てを掻き出しながらポケットには直角に、歯肉や舌の凹凸のすべての面に当たろうとして、ゆっくりと、優しく、斜めに引き連れながら進行して、歯肉や舌を傷つけない働きを持つ機能を利用した舌、歯肉磨きブラシ
【請求項３】
請求項１の原理を用いて、食器、便器を洗えるように、毛先をＬ字形の形状にし、大きさも対象の大きさに応じて変えた洗浄ブラシ。
【手続補正２】
【補正対象書類名】明細書
【補正対象項目名】全文
【補正方法】変更
【補正の内容】
【考案の詳細な説明】
【技術分野】
【０００１】  ブラシ製品（歯ブラシ、洗浄ブラシ）
【背景技術】
【０００２】現在市販されている歯ブラシは歯や歯肉に直角に当たることはなく、はみがきの仕方の指導が欠かせない。そのうえ、形状で、あらゆる面に当たるように工夫をし、歯肉のポケット（歯と歯肉の間の隙間）を傷めない細い毛先の歯ブラシなど各種が作られ販売されている。なぜこのような形状や細さが求められてきたのか。要するに理想のあらゆる面に直角に当てることは不可能と考えられて来たからである。しかし、歯磨きの理想は歯ブラシが歯や歯肉に直角に当たり、しかも歯肉のポケットの深さまで入ってそれ以上入らない歯ブラシの発明が望まれている。
本人以前の出願（平成４年５月２２日）で同様の目的を達成するために、歯ブラシの柄の支点を支えるために、別のホールダ部品で歯ブラシの柄を支えるようにしたが、部品点数の増加を招き、コストの上昇と、柄の間から、歯ブラシの際に汚れがはいり、洗浄を余儀なくされた。まだその当時、一本の歯ブラシ内で梃子の原理を適用できるとは考えられなかった。
【考案が解決しようとする課題】
【０００３】支点を構成する別部品に頼らずに、一本の歯ブラシ内で歯ブラシが歯や歯肉に直角に当たろうとする機能を達成することを目指した。この達成で嫌な、ホールダの分解やホールダの隙間の悪臭から開放されることをめざした。
部品点数を減らし、コストを下げ、通常の洗浄で、衛生的な機能を維持できる直角に当たろうと自在に回転できる歯ブラシを作る工夫をする。
【課題を解決するための手段】
【０００４】支点を人の掌と歯ブラシの柄の先端部分との接触部分あるいは親指と人差し指の水かきの甲の部分を支点として機能を代替できるように、先を摩擦の少ない曲線状で、回転の中心を維持できるようにし、かつ、親指と人差し指で挟む部位は、摩擦を最小にするため、細くてゆるやかな凹面流線型にし、回転し易くする。
【０００５】支点になる掌の摩擦部分や力点になる親指と人差し指以外には力がかからないように放物面球や半円球にすることによって歯ブラシの毛先部分が歯や歯肉に的確に当たるようになって、毛先が自在に回転するようになる。作用点となる毛先部分が歯や歯肉に触れると安定を求めてくるりと回って、結果的に直角に当たる。直角に毛先が当たると、力のバランスがとれ、しっかりとブラシングできる。
【考案の効果】
【０００６】この発明によって、ブラッシングの指導や色々な形状の歯ブラシを持ち、長時間のブラッシングしなければならない現状を打破できる。
【０００７】この歯ブラシで歯肉や舌部の舌苔のブラシングする場合には歯肉や舌は歯よりは表面疎度があらく、摩擦が大きいと毛先はその粗い部位の全て通過しようとして、ブラシの動きに引きずられるように動く。その結果、歯ブラシが直角から引きずられるように角度を維持しなら斜めに凹凸面に沿いながら動くことになり、歯肉や舌を傷めない優しい掻き出しとなり、しかも凹凸の奥までしっかりと掻き出す効果を持つ。
【０００８】ホールダなどの別部品がなくなり、ホールダの間から出る悪臭からの開放と、安価な直角に当たろうとする歯ブラシによるブラッシングが可能となった。
【考案を実施するための最良の形態】
【０００９】    次のような実施例のような基本構造を持たせる。
【実施例】  図１【００１０】
【図１】
は  回転自在歯ブラシの基本形
【００１１】
【図３】
は  回転自在歯ブラシの使用している例
【００１２】
【図４】
は  洗浄用ブラシの実施例
【産業上の利用可能性】この考案の製品はプラスチック成形加工を主体とし、どのような形状でも加工可能であるので、この考案で示した形状を構成、加工、製品化はすることは可能である。
考案の利用価値は今までとは数段の利便性と効果をもたらすのは、サンプル段階で実証済みである。
【図面の簡単な説明】
【００１３】
【図１】  回転自在歯ブラシの実施例の側面図
【図２】  回転自在歯ブラシの実施例の正面図
【図３】  回転自在歯ブラシの使用している例と原理を示す図
【図４】  洗浄用ブラシの実施例
【符号の説明】
【００１４】  １    歯ブラシヘッド部
２    歯ブラシの柄
３    毛先
４    モーメントを生み出すふくらみ（こぶ）
５    ホールダ
６    ストッパー
７    歯ブラシヘッドと  歯ブラシの柄のなす角度
８    歯
９    支点
１０    力点
１１    作用点
１２    ふくらみの首の半円球の突起
１３    ホールダの先端の枕木
１４    Ｏリング
【手続補正３】
【補正対象書類名】図面
【補正対象項目名】全図
【補正方法】変更
【補正の内容】
【図１】
0003105822.tif 000007
【図２】
0003105822.tif 000008
【図３】
0003105822.tif 000009
【図４】
0003105822.tif 000010